(57)【要約】      （修正有）【課題】外部電源が与えられていない状態で扉が開けられた事を記憶し、外部電源が与えられた後に記憶に基づき警報用の信号を発する事を可能とする記憶型扉開閉検出器を提供する。【解決手段】マイコン２４の第一の入力端子２４ｇで外部電源が与えられているか否かを検知し、マイコンの第二の入力端子２４ｈで扉が開かれたか否かを検知し、内部電源がマイコンを正常動作できる電位を有する時にはマイコンのプログラムは前記第一、第二の入力端子のレベルがロ−からハイ、ハイからロ−の変化で割込み処理を行い、内部電源がマイコンを正常動作できない電位に低下の時には外部電源で内部電源を充電すると共にプログラムはメイン処理で前記第一の入力端子をマイコンの出力端子で外部電源があるにも関らず外部電源が無い状態に一定時間の間保たせ、その後外部電源が有る状態に復帰させることで、第一の入力端子にレベル変化を与え、自動的に割込み処理を実行させる。【選択図】図２
2008161630.tif 000002
【特許請求の範囲】
【請求項１】
外部電源が与えられていない状態で扉が開けられた事を記憶し、外部電源が与えられた後に記憶に基づき警報用の信号を発する事を可能とする記憶型扉開閉検出器において、外部電源で充電される内部電源と不揮発性記憶素子を含むマイコンを有し、マイコンの第一の入力端子で外部電源が与えられているか否かを検知し、マイコンの第二の入力端子で扉が開かれたか否かを検知し、内部電源がマイコンを正常動作できる電位を有する時にはマイコンのプログラムは前記第一、第二の入力端子のレベル変化で割込み処理を行い、内部電源がマイコンを正常動作できない電位に低下している時には外部電源で内部電源を充電すると共にプログラムはメイン処理で前記第一の入力端子をマイコンの出力端子で外部電源があるにも関らず外部電源が無い状態に一定時間の間保たせ、その後外部電源が有る状態に復帰させることで、第一の入力端子にレベル変化を与え、自動的に割込み処理を実行させる事を可能とした記憶型扉開閉検出器。
【請求項２】
外部電源が与えられていない状態で扉が開けられた事を記憶し、外部電源が与えられた後に記憶に基づき警報用の信号を発する事を可能とする記憶型扉開閉検出器において、外部電源で充電される内部電源と不揮発性記憶素子を含むマイコンを有し、扉スイッチと直列に擬似扉スイッチであるトランジスタ−のエミッタ、コレクタを接続し、同トランジスタ−のエミッタ、ベ−スを擬似扉スイッチであるトランジスタ−を開閉する制御トランジスタ−のコレクタ、エミッタに直列に接続し、同制御トランジスタ−のベ−スをマイコンの出力端子で制御する事を特徴とする記憶型扉開閉検出器。
【発明の詳細な説明】
【技術分野】
【０００１】  本発明は、防犯機器、特にはパチンコ遊技機、スロット機等の用途分野に関連する。
【背景技術】
【０００２】  パチンコ機への利用を代表として記載する。パチンコ機では、遊技中に遊技者がパチンコ機の扉を開いて、球を入賞口へ入れる不正を防ぐ事を目的に、扉が開かれるとパチンコ店の従業員に知らせるランプ表示、音声案内の機能が監督官庁の指導のもと、全てのパチンコ機個々に備えられている。よって、従業員や多くの遊技者が居る営業時間中の扉を開いての不正行為はほぼ防止できている。【０００３】が、夜間の扉を開いての不正行為に対しては、店舗全体の防犯システム、例えば監視カメラ等に依存している。これもおおいに進歩して、防犯に成果を上げているが、全体を監視する方法は盲点も出やすく狙われる心配がある。そこで、本発明は、パチンコ機一台、一台の電源がオフにされている夜間でも扉が開かれた事を記憶し、翌日の営業時に電源を入れると異常が有れば、警報を発する事で犯罪を軽減するものである。夜間の不正は昼間の不正に比べ悪質のレベルが大きい為、効用が大きい。夜間で説明しているが、電源が入っていない状態とは、輸送中の防犯にも効果が有る事も意味するものである。【０００４】  本発明は、出願人が出願している特願２００６−２７８１２８「扉開閉検出器」、特願２００６−３３３８２８「記憶型扉開閉検出器」と関連する。先願の内容で、外部電源が断の状態で扉が開かれた事をＥＥＰＲＯＭ等の電源が絶たれても記憶を保持する記憶素子に記憶しても良い旨を記載したが、内部電源にマイクロコンピュ−タ−（以後マイコンと言う）を作動可能な電位が残されている場合は問題無いが、マイコンを作動出来ない程に電位が低下している状態で外部電源が投入された場合には、ポ−ト入力変化割込みが発生せず、結果、初回の外部電源投入時に警報信号が出せず、次回の外部電源投入時に警報信号が出され、発見が遅れると言う課題があった。【０００５】  また、広く用いられて来た記憶能力の無い扉スイッチを記憶付きの高機能品に置き換えるに当たり、より小型に、より安価にの課題も有った。従来の開示実施例では擬似扉スイッチはリレ−であったり、ホトカプラ−であったりしたが、より安価で小型のトランジスタ−に置き換える必要があった。また、擬似扉スイッチを制御するのに２個のトランジスタ−を用いる事例を示して来たが１個にする事例を示す必要があった。
【発明の開示】
【発明が解決しようとする課題】
【０００６】
【０００７】  本発明が解決しようとする課題は、［背景技術］でも述べたように
（１）外部電源が断の状態で扉が開かれた事をＥＥＰＲＯＭ等の電源が絶たれても記憶を保持する記憶素子に記憶して、記憶に従い警報信号を発する動作を、マイコンが作動出来ない程に内部電源の電位が低下している状態でも、初回の外部電源が投入された時に、内部電源の充電と、マイコンの初期化動作と、ポ−ト入力変化割込みを自動的に発生させ、警報信号が出せる様にすること。
（２）より安価で小型化を実現すること。が課題である。
【課題を解決する為の手段】
【０００８】  請求項１の記憶型扉開閉検出器は、外部電源が与えられていない状態で扉が開けられた事を記憶し、外部電源が与えられた後に記憶に基づき警報用の信号を発する事を可能とする記憶型扉開閉検出器において、外部電源で充電される内部電源と不揮発性記憶素子を含むマイコンを有し、マイコンの第一の入力端子で外部電源が与えられているか否かを検知し、マイコンの第二の入力端子で扉が開かれたか否かを検知し、内部電源がマイコンを正常動作できる電位を有する時にはマイコンのプログラムは前記第一、第二の入力端子のレベルがロ−からハイ、ハイからロ−の変化で割込み処理を行い、内部電源がマイコンを正常動作できない電位に低下している時には外部電源で内部電源を充電すると共にプログラムはメイン処理で前記第一の入力端子をマイコンの出力端子で外部電源があるにも関らず外部電源が無い状態に一定時間の間保たせ、その後外部電源が有る状態に復帰させることで、第一の入力端子にレベル変化を与え、自動的に割込み処理を実行させる事を可能とした記憶型扉開閉検出器であるから、外部電源が与えられていない状態で扉が開けられて異常記憶を不揮発性記憶素子が記憶しているが、内部電源が空に近くマイコンが正常に動けない状態で外部電源が与えられた場合でも初回の外部電源の投入で確実に異常出力を出せるから課題（１）の効用がある。
【０００９】  請求項２の記憶型扉開閉検出器は、外部電源が与えられていない状態で扉が開けられた事を記憶し、外部電源が与えられた後に記憶に基づき警報用の信号を発する事を可能とする記憶型扉開閉検出器において、扉スイッチと直列に擬似扉スイッチであるトランジスタ−のエミッタ、コレクタを接続し、同トラシジスタ−のエミッタ、ベ−スを擬似扉スイッチであるトランジスタ−を開閉する制御トランジスタ−のコレクタ、エミッタに直列に接続し、同制御トランジスタ−のベ−スをマイコンの出力端子で制御する事を特徴とする記憶型扉開閉検出器であるから、小型且つ安価に提供できるようにした事を特徴とする記憶型扉開閉検出器であるから、課題（２）の効果がある。
【発明を実施する為の最良の形態】
【００１０】  図１は本発明の実施例の外観図で上蓋の一部を破断し、内部構成が見える状態を示す。プリント基板１の一方の面には電子部品２が実装される。電子部品とは後に図２で述べる抵抗、コンデンサ、ダイオ−ド、マイコン等を言う。プリント基板の他方の面にはコネクタ３、内部電源である電気二重層コンデンサ−５及び扉スイッチ４が実装されている。
ＬＥＤは使われない事も有るし、視認性の為どちらの面に実装されるか定まらない。部品が実装されたプリント基板は上蓋６と下蓋７のケ−ス内に収納される。上蓋６にはコネクタ用開口６ａとＬＥＤ用開口６ｂ、６ｃが設けられると共に、スイッチノブ用開口６ｄが設けられている。
【００１１】  コネクタ３は３極から成り１極目は電源入力端子、２極目は出力端子で３極目はグランド端子である。電源入力端子に外部電源が与えられている時は従来の扉スイッチと同様に扉スイッチ４の開、閉の状態を出力端子に出力できる。又、外部電源が与えられていない時には、内部電源５のエネルギ−で扉スイッチの開閉を検知すると共に電子部品の作用で検知した信号を記憶し、外部電源が与えられた後出力端子に信号を出力する。また、状態をＬＥＤで報知する。
【００１２】  上述した動作がどのように作られるか、また、課題として述べた内部電源が低下した時いかなる問題が起き、いかに解決するかを図２、図３を用いて以下に説明する。
図２は実施例の回路図である。（ａ）は記憶型扉開閉検出器の回路図と出力端子からの信号を受けて作動する警報基板の関係を示し、１のプリント基板の線は扉スイッチ４も含め全ての部品がプリント基板内に組み付けられる事を表す為に記す。（ｂ）はマイコンの内部を示す為の補助図である。
【００１３】コネクタ−３の電源入力端子３−１には直流の１２Ｖ等の電源が与えられたり、与えられなかったりする。端子３−１からはトタンジスタ−８の（トランジスタ−を以後擬似扉スイッチとも言う、理由は扉スイッチが不作動状態でも記憶に基づき扉スイッチの働きを行う為）エミッタ、コレクタがダイオ−ド９と扉が閉じられている時には閉の扉スイッチ４の接点を経て出力端子である３−２と結ばれ、外部の警報基板１０の抵抗１１を介してグランドに結ばれる。又、端子３−１からはトランジスタ−８のエミッタ−、ベ−ス、抵抗１８、緑ＬＥＤ１９、制御トランジスタ−２０、グランド端子である３−３を介してグランド線１５でグランドされる。また、端子３−１は電源ＩＣ１４に結ばれ、その出力端子はコンデンサ−１６に結ばれ、電源ＩＣのグランド端子、コンデンサ−１６の他端はグランド端子３−３に結ばれる。コンデンサ−１６からはダイオ−ド１７を介し内部電源である電気二重層コンデンサ−５に結ばれる。内部電源は端子３−１に外部電源が与えられていない時のエネルギ−を供給する。電源ＩＣ１４の出力端子は抵抗２１、抵抗２２を介し制御トランジスタ−２０のベ−スに結ばれる。
【００１４】上記結線の為、外部電源が端子３−１に与えられている時は、制御トランジスタ−２０はオンで、トランジスタ−８もオンであり、ダイオ−ド９も順方向の為、扉スイッチ４の開閉状態が出力端子３−２を介し警報基板１０の抵抗１１へ状態を伝える。
扉が閉じている時には扉スイッチ４は閉であり、抵抗１１に十分電流が流れ電圧降下が大きく警報基板は正常と判断する。一方、扉が開かれ、扉スイッチ４が開ならば抵抗１１への電流が無くなり抵抗１１の電圧降下が無く、符号の記載されていないコンパレ−タ−、処理器は表示器１２、音声出力器１３に光、音声の出力で警報を発する。即ち、以後に説明するマイコン等の働きが無い時は従来の扉スイッチと全く同様な作動を行う。
【００１５】  内部電源は内部にＲＯＭ，ＲＡＭ、ＥＥＰＲＯＭを含むマイコン２４の電源端子２４ａに結ばれ、マイコンのグランド端子２４ｂはグランドされ、発振用端子２４ｃ、２４ｄには発振子２５が結ばれると共に各々にコンデンサ−２６が結ばれ両コンデンサ−の他端はグランドされる。また、マイコンの入力端子２４ｇは抵抗２７と抵抗２８の結合点に結ばれる。抵抗２７の他端は端子３−１に抵抗２８の他端は端子３−３に結ばれる。結果、入力端子２４ｇには外部電源が与えれている時はハイの電位、与えられていない時はロ−の電位が生ずる。但し、抵抗２８の両端にコンデンサ−２９とトランジスタ−３０のコレクタ、エミッタが結ばれ、ベ−スは抵抗３１を介してマイコン２４の出力端子２４ｉに結ばれ、外部電源が与えられていて、ハイであるべき時でも出力端子２４ｉでロ−にされたり、急にはハイに成らず抵抗２７とコンデンサ−２９の積で決まる遅延時間でハイに成る動作をする。入力端子２４ｇを第一の入力端子とも言う。
【００１６】  マイコンの他の入力端子２４ｈは抵抗３２とダイオ−ド３３の結合点に抵抗３４を介して結ばれる。抵抗３２の他端は内部電源５に結ばれ、ダイオ−ド３３の他端は扉スイッチ４に結ばれる。結果、外部電源が与えられている時には、入力端子２４ｈには扉スイッチ４の開閉に関係なくハイの電位で且つ、ダイオ−ド３３で過大電圧でない信号が与えられる。（扉スイッチ４が開なら端子３−１の電位のままでハイ、扉スイッチが閉なら抵抗１１の電圧降下が十分大きいからハイ）。外部電源が与えられていない時は、扉スイッチ４が閉（扉が閉じられている時）なら内部電源５から抵抗３２、ダイオ−ド３３、扉スイッチ４、抵抗１１のル−プで電流が流れ抵抗３２の抵抗値が抵抗１１の抵抗値より十分大きく作られているため、ロ−になる。一方、扉スイッチ４が開（扉が開かれる）なら上述の電流が流れず入力端子２４ｈは内部電源の電圧が加わり、ハイになる。ここで、ダイオ−ド９はトランジスタ−８の漏れ電流に備えて設けられているがトランジスタ−の特性によっては除去しても良い。入力端子２４ｈを第二の入力端子とも言う。
【００１７】  マイコン（処理、記憶素子）は上記入力端子２４ｇ，２４ｈで外部電源が無い時に扉が開かれた事を２４ｇがロ−、２４ｈがハイの条件で検知でき、それをメモリ−に記憶する。次に、２４ｇがハイに成った後記憶が有るか否かを判定し処置行動を行う。処置行動の動作はマイコンの出力端子２４ｅがダイオ−ド２３を介して、抵抗２１、２２の結合点に結ばれる事で、出力端子２４ｃをロ−にすれば、制御トランジスタ−２０のベ−ス電流を流れなくし、制御トランジスタ−２０をオフに、即ち、トランジスタ−８をオフにして、扉スイッチ４が閉であっても抵抗１１への電流を遮断し警報基板１０を作動できる。この作動は一定時間で終了させる事も、継続状態に保たせる事も出来る。この時、緑ＬＥＤ１９は消灯し、状態報知として用いられる。
【００１８】  出力端子２４ｆには電源ＩＣ１４から抵抗３５、赤ＬＥＤ３６（扉開放記憶表示器とも言う）が結ばれており、上述した外部電源が無い時に扉が開かれた事を表示する。表示方法として出力端子２４ｅが一定時間で復帰した後も表示を続け、一度、外部電源をオフにした後再度オンにした時に消灯させるのが好適である。但し、外部電源をオフにする間、扉スイッチ４を閉状態にする必要がある。
【００１９】  入力端子２４ｇ、２７ｈは信号を受け付ける入力端子であると共に、ソフトウエア−の割込み動作を起こさせる割込み動作受付端子を兼ねている。すなわち、２４ｇ、２４ｈはロ−、ハイの信号をマイコンに与えると共に、各々がロ−からハイ、ハイからロ−に変化した事で割込みプログラムに書かれた処置を実行する。
【００２０】  以上が本発明の背景となる記憶型扉開閉検出器の構成と動作であり、さらに詳しく図３のフロ−チャ−トで動作説明を後に行うが、課題である内部電源が空に近く放電し電位が低く、マイコンが正しく動作できない時は、外部電源が投入された後にマイコン自体がリセット処理を行い、メインプログラムに書かれた手順で初期化動作を行うが、初期化動作終了時点で抵抗２７、２８で作られる入力端子２４ｇの信号は安定なハイに成っており、入力端子のレベル変化は無しとなり、割込み処理プログラムは実行されない。
内部電源が空に成る前に、扉が開かれ「不揮発性記憶素子であるＥＥＰＲＯＭに開の記憶が有り」の状態であっても割込み処理が実行されず［００１７］で記載した処置は行われず、内部電源が充電された次回の外部電源投入で処置される。すなわち、発見が遅れる問題が生じる。
【００２１】  いま、内部電源である電気二重層コンデンサ−５が空で端子３−１に外部電源が与えられれば、電源ＩＣ１４、ダイオ−ド１７を介し充電される、数秒でマイコン２４を作動できる電位となり、マイコンはパワ−オンリセット動作の後、メインプログラムに書かれた初期化プログラムを実行する。コンデンサ−２９、トランジスタ−３０が無ければ入力端子２４ｇには外部電源投入と同時に安定なハイの電位が生ずる。結果、上記初期化プログラム実行後割込み動作は起きない。
【００２２】  抵抗２７とコンデンサ−２９の積で決まる遅延時間を上記初期化プログラムが終了する時間より十分に大きくすれば、入力端子２４ｇの電位は外部電源投入後の上記初期化プログラム終了後にロ−からハイに変化する事になり、割込み動作が実行できる。ただし、この条件は内部電源が空に近い時だけでなく、外部電源が与えられる時毎に作用し、判定動作を遅らせる事となる。一方上記遅延時間を小さくしても、出力端子２４ｉから抵抗３１を介してトランジスタ−３０を上記初期化プログラムの最後に一瞬オンにさせればコンデンサ−２９の電荷を放電でき、入力端子２４ｇをロ−状態からハイに変化させる事ができる。この動作は内部電源が空になった時のみの動作であり通常の外部電源投入時には起きず判定時間の遅れを伴なわない。
【００２３】  図（ｂ）にはトランジスタ−３０を廃しダイオ−ド３７で同一作用をさせる事例を示す。出力端子２４ｉは内部にトランジスタ−と同機能の部品を含む、図のＣ−ＭＯＳ構造ではＰ側がオンした時にコンデンサ−２９への充電を防止するためダイオ−ド３７を設け、Ｎ側がオンした時にダイオ−ド３７を介してコンデンサ−２９の電荷を放電させている。
出力端子にはＰ側の無いオ−プンドレイン型の物もあり、その時はダイオ−ド３７も削除でき部品を少なく出来る。符号２３で示したダイオ−ドも同様であり、オ−プンドレイン型の出力端子なら削除できる。制御トランジスタ−２０を電源ＩＣ１４から抵抗２１を介して駆動する理由は外部電源が絶たれているときの内部電源の電流消費を少なくする目的であり、ソフトで外部電源が無い時は出力端子２４ｅがハイに成らないようにすればＣ−ＭＯＳ構造の出力端子でもダイオ−ド２３を廃止して直接駆動してもよい。
【００２４】  次に、プログラムの説明をする。プログラムは新規のマイコンのＲＯＭに書き込まれるが、不揮発性記憶素子であるＥＥＰＲＯＭには本実施例の場合、０が書き込まれる。０の意味合いは「外部電源が入っていない時に扉を開けられた事は無い」を示すデ−タである。
図３の（ａ）（ｂ）のフロ−チャ−トでプログラムと動作の説明をする。プログラムが実行されるには、電源電圧が規定値以上有り、リセット動作で条件が整備された後に、（ａ）のメインプログラムが実行される。スタ−トすると、Ｓ１で割込み禁止をし、次のＳ２、Ｓ３での設定を確実に行える環境にする。Ｓ２のマイコンの初期設定ではプルアップ抵抗を使用しない様にする、外付け部品を少なく出来るようにプルアップ抵抗が内蔵されているが消費電流を少なくする場合には使わない設定が望ましい。また、ポ−トの入出力を設定する。マイコンは汎用性を高める為、入出力はソフトで決める、図２では２本を入力に３本を出力と決めている。
【００２５】  Ｓ３では出力と変数の初期化を行う。具体的には擬似扉スイッチを作動させる出力のデ−タをオフ側に設定する。また、扉開放記憶表示器を作動させる出力のデ−タをオフにする。
また、外部電源オフ中に扉が開かれた記憶である開放記憶１をクリヤ−する。また、扉開放記憶表示器を動作させるのに用いる記憶である開放記憶２をクリヤ−する。
開放記憶１、開放記憶２はＲＡＭ領域に設けられた固有名称ＲＡＭである。後述のＳ１２、Ｓ１３、Ｓ１９で示すＥＥ開放記憶１は不揮発性記憶素子であるＥＥＰＲＯＭ領域の固有名称ＥＥＰＲＯＭであり開放記憶１と同一デ−タを持つ、ＥＥＰＲＯＭは電源が無くてもデ−タが消滅しないがプログラム中で使用しずらい、よって、保存はＥＥ開放記憶１に使用中は開放記憶１として用いる。
【００２６】  次に、Ｓ４で電荷放電開始をする、図２の（ａ）では出力端子２４ｉにハイを出し、トランジスタ−３０をオンさせコンデンサ−２９の電荷を放電させる。図２の（ｂ）なら出力端子２４ｉをロ−にしてコンデンサ−２９を放電させる。Ｓ５の待ち時間で放電が十分に行われる時間を保持させ、Ｓ６で電荷放電を終了させる。動作はＳ４の逆である。入力端子２４ｇの電位は抵抗２７とコンデンサ−２９の値の積の時間で上昇する。
次にＳ７で割込みの許可をする。割り込みの種類は種種有るが、この事例ではポ−ト入力変化割込みに対して割込みを許可する。Ｓ８では命令でスリ−プモ−ドに入り、割込み要因の発生を待つ状態となる。Ｓ７の命令は一瞬で終了するため、抵抗２７とコンデンサ−２９で作られる遅れ時間の後に入力端子２４ｇのレベルがハイを検知した時点で割込み動作が作動する。
なを、スリ−プモ−ド（待機状態とも言う）では、発振も停止し、消費電流を極端に少なくすることが出来、内部電源を電池でなく、廃棄に伴なう公害の心配が無いコンデンサ−で可能としている。
【００２７】  割込み要因は図２では、入力端子２４ｇが変化する時、すなわち、外部電源が投入され、ロ−からハイに変化した時と、外部電源が遮断されハイからロ−に変化した時。それと、入力端子２４ｈが変化する時、扉が閉じられた状態から開かれた時、および、開けられた状態から閉じられた時の４種類の要因で（ｂ）で示す割込み処理を行い、処理後Ｓ８のスリ−プモ−ドへと帰る。
【００２８】  次に、（ｂ）の割込み処理を説明する。Ｓ９ではレジスタ−待避が行われる、これは、（ａ）のメインプログラムで使われていたレジスタ−の内容が割込み処理を実行する事で変化し、復帰後のメインプログラムが影響を受ける害を防ぐ行為である。Ｓ１０、Ｓ１１は割込み要因が何であるかを判別し、要因に応じて動作を決める。今は上述に続く、始めての電源投入の時を説明しているのでＳ１０では外部電源は有りで、Ｓ１３へ分岐する。Ｓ１３ではＥＥＰＲＯＭの特定領域であるＥＥ開放記憶１の内容が判定されるが、前述した様にプログラムが書き込まれる時ＥＥＰＲＯＭには０が書き込まれている事から、判定は「無」でＳ２１へ分岐する。Ｓ２１では扉開放記憶表示器を制御するＲＡＭである開放記憶２が１減算される。Ｓ３で０にされていたためＦＦとなり、Ｓ２２では０でないためＳ２４へ分岐する。Ｓ２４では次の割込みを実行しうる状態にするため、割り込みフラグをクリヤ−する。次に、Ｓ２５へ行き、Ｓ９で待避したレジスタ−を復帰させ、メインプログラムのＳ８へ復帰する。
【００２９】  次に、外部電源が絶たれたとする、入力端子２４ｇがロ−に変化した事で、割込みが発生し、（ｂ）のＳ９、Ｓ１０と進む、外部電源は「無」だからＳ１１へ分岐し扉の状態が判定される。図２の例で２４ｈがロ−であれば扉は閉と判定されＳ２４へ行き、前述と同じくＳ２４、Ｓ２５へ進みメインプログラムのＳ８へ復帰する。
Ｓ１１での判定が扉は開であれば、Ｓ１２へ進みＥＥ開放記憶１と名前を付けられたＥＥＰＲＯＭに１が書き込まれ開放された事が記憶される。勿論、値は１でなくても記憶が無い状態の値以外で区別できれば何であっても良い。
ＥＥＰＲＯＭは電源が無くなっても記憶が残るため、内部電源の容量を小さくできる、又、不正行為者にケ−ス（検出器の収容器）を開け、内部電源をショ−トしての記憶の消去がされないと言うメリットがある。Ｓ１２の後はＳ２４へと進み前述と同じである。
【００３０】  次に、外部電源が与えられ、割込みが発生し、Ｓ１０で外部電源が有りと判定されたとする。Ｓ１３へ進み、前述したＥＥ開放記憶１のＥＥＰＲＯＭの内容が判定される。内容が１で扉開放の記憶が有りならば、Ｓ１４で扉開放記憶表示器を点灯させる、図２ではマイコンの出力端子２４ｆをロ−にして赤ＬＥＤ３６をオンさせる動作である。つぎに、Ｓ１５へ進み待機時間１の動作を行う、具体的には数秒から数十秒の待ち時間を作ることである。その待ち時間の後、Ｓ１６で擬似扉スイッチを作動させる。図２では出力端子２４ｅをロ−にして、制御トランジスタ−２０をオフにし、トランジスタ−８をオフにし、警報基板１０へ知らせる事である。
【００３１】  次に、Ｓ１７で待機時間２の処理が行われる。具体的には数十秒から数分の待ち時間を作り、警報基板１０による表示器１２、音声出力器１３で異常を確実に知らしめる待ち時間を作ることである。次に、Ｓ１８で擬似扉スイッチを不作動にすると共にＳ１９でＥＥ開放記憶１のＥＥＰＲＯＭの内容に０を書き込み記憶を消去する。
【００３２】  次に、Ｓ２０で開放記憶２と名前を付けられたＲＡＭに値３を書き込む。開放記憶２とは扉開放記憶表示器を作動させるか否かを判定する情報を記憶する為のＲＡＭである。次に、Ｓ２１で上記ＲＡＭの開放記憶２の内容を１減ずる、Ｓ２２へ進み開放記憶２が０であるか否かを判定する。いまは、０でないので、Ｓ２４、Ｓ２５と進み、割込み動作は終了しメインプログラムのＳ８へと復帰する。以上で外部電源が無い状態で扉が開かれた時の記憶に従い、次の外部電源投入で扉が開かれていなくとも擬似扉スイッチの働きで警報基板が警報を発する説明とする。なを、前述した始めての外部電源投入でＳ２１でＲＡＭの開放記憶２がＦＦになっていたこと、更なる割込みによっては０にもなり得ることが有りＳ２３に達することが有るがＳ３での扉開放記憶表示器出力のオフの上書きであり、バグではないことを記載する。
【００３３】  上記動作中のＳ１６で擬似扉スイッチが作動すると図２のトランジスタ−８が開になるから、扉が閉じており、即ち、扉スイッチ４が閉でも抵抗１１に電流が流れないから、ダイオ−ド３３のカソ−ドはロ−であり、入力端子２４ｈはハイ状態からロ−へと変化する。これは割込み要因の発生を意味する。
【００３４】  上記割込み要因により、前述の割込み動作が終了後、再び割込み動作が始まり、Ｓ９、Ｓ１０と進み、外部電源が有りだからＳ１３へ進むが前回Ｓ１９でＥＥ開放記憶１は消去されているため、無しに分岐し、Ｓ２１へ進み開放記憶２をマイナス１する。いまだ残数として１が残っているため、Ｓ２２の判定ではＳ２４へと進み、Ｓ２５から割込みは終了しメインプログラムへ復帰する。以上説明は前回割込みのＳ１４で点灯された扉開放記憶表示器は点灯のまま残っている事を意味する。
【００３５】  扉開放記憶表示器を消灯したい時は、さらなる割込みをさせる為、外部電源をオフにし再度外部電源をオンにする。それにより、Ｓ９、Ｓ１０、Ｓ１３、Ｓ２１、Ｓ２２と進ませ開放記憶２をゼロにして、Ｓ２３へ進ませ扉開放記憶表示器を消灯させる。ここで注意を要する事は、外部電源をオフにし、オンにするに当り、扉スイッチ４を閉に、即ち、扉が閉じている状態にしておいて行う必要がある。さもないと、再び記憶を新規に作ることとなる。パチンコ機では外部電源を操作するには、扉を開く必要があるため、無意識に扉スイッチが開になっているため、意識して、扉スイッチを押しながら外部電源のオフ、オンを行う必要がある。
【００３６】  以上の説明では、Ｓ１２で作られたＥＥ開放記憶１が作られた後の外部電源投入による割込みでＳ１３、Ｓ１４、Ｓ１５・・・と動作が進むと説明したが、Ｓ１２でＥＥ開放記憶１は作られているが、内部電源であるコンデンサ−５が放電してしまった。不正行為者により故意にコンデンサ−５がショ−トされた時を考える。
この時は、前述した初めて電源が与えられた手順で進行する。即ち、外部電源の投入で電源ＩＣ１４が内部電源であるコンデンサ−５を充電し、マイコン電源電位の上昇でマイコンがパワーオンリセットされ作動可能状態に成ってから、Ｓ１、Ｓ２、Ｓ３とメインプログラムを実行する。いま、Ｓ４、Ｓ５、Ｓ６が無いとするとＳ７、Ｓ８へ進んだ時点ではマイコンの入力端子２４ｇは既に安定なハイのレベルに達している為、Ｓ８の割込み待ちに対して割込み要因に成らない。すなわち、割込みプログラムは実行されず、開放記憶が有りながら外部電源投入時に発見できないという問題が生ずる。勿論、次回の外部電源投入で発見できるが、発見が遅れる事は問題であり、この問題を解消した本発明は効用が大きい。
【００３７】  外部電源が与えられていない状態で扉が開けられた事を記憶し、外部電源が与えられた後に記憶に基づき警報用の信号を発する事を可能とする記憶型扉開閉検出器において、不揮発性記憶素子に記憶を残す方法は内部電源の容量を記憶発生時から外部電源が投入されるまでの時間分を無用とするため、小型化が可能となり大きなメリットとなる。また、マイコンの内部に記憶が保護されていることから、不正行為が行い難く記憶型扉開閉検出器の容器の簡略化を可能とする。また、擬似扉スイッチをトランジスタ−にすると共に同トランジスタ−を制御する制御トランジスタ−を１個のみとし、小型、安価にした効果は世に無い新しい機能を追加する上で重要な意味がある。
【図面の簡単な説明】
【００３８】
【００３９】
【図１】  本発明の記憶型扉開閉検出器の実施例を示す説明図。
【図２】  本発明の記憶型扉開閉検出器の実施例の回路を示す説明図。
【図３】  本発明の動作を説明するフロ−チャ−ト図
【符号の説明】
【００４０】１………………………プリント基板
２………………………電子部品（抵抗、コンデンサ−、ダイオ−ド、マイコン等）
３………………………コネクタ−
４………………………扉スイッチ
５………………………内部電源（電気二重層コンデンサ−）
６………………………上蓋
７………………………下蓋
８………………………トランジスタ−（擬似扉スイッチ）
９………………………ダイオ−ド
１０……………………警報基板
１１……………………抵抗
１２……………………表示器
１３……………………音声出力器
１４……………………電源ＩＣ
１５……………………グランド線
１６……………………コンデンサ−
１７……………………ダイオ−ド
１８……………………抵抗
１９……………………緑ＬＥＤ
２０……………………制御トランジスタ−
２１……………………抵抗
２２……………………抵抗
２３……………………ダイオ−ド
２４……………………マイコン（不揮発性記憶素子）
２５……………………発振子
２６……………………コンデンサ−
２７……………………抵抗
２８……………………抵抗
２９……………………コンデンサ−
３０……………………トランジスタ−
３１……………………抵抗
３２……………………抵抗
３３……………………ダイオ−ド
３４……………………抵抗
３５……………………抵抗
３６……………………赤ＬＥＤ（扉開放記憶表示器）
３７……………………ダイオ−ド
【図１】
2008161630.tif 000003
【図２】
2008161630.tif 000004
【図３】
2008161630.tif 000005